(57)【要約】【課題】挿入型イヤホンにおいて、所望の音響特性を、簡単な操作で繰り返して得られるようにする。【解決手段】レシーバユニット１２の音導管１６に、イヤーチップ１４が着脱可能に装着された構成とする。そして、音導管１６の孔１６ａとイヤーチップ１４の貫通孔１４ａとで構成される音道４０の途中に、音響特性調整用のフィルタ部材５０を設ける。このフィルタ部材５０は、イヤーチップ１４に固定された構成（具体的にはイヤーチップ１４における基端部側の壁面である環状段差面１４ｂに貼着された構成）とする。これにより、音響特性の異なるフィルタ部材５０が固定された複数種類のイヤーチップ１４を予め準備しておき、これを適宜交換することにより、所望の音響特性が得られるようにする。このイヤーチップ１４の交換は、冶工具等を用いることを必要とせずに、簡単な操作で行うことが可能である。【選択図】図２
2008277909.tif 000002
【特許請求の範囲】
【請求項１】
音導管を有するレシーバユニットと、このレシーバユニットの音導管に着脱可能に装着されたイヤーチップとを備えてなり、上記イヤーチップを外耳道に挿入した状態で使用するように構成された挿入型イヤホンにおいて、
上記レシーバユニットが、レシーバ本体と、このレシーバ本体を収容する筐体とを備えてなり、
上記音導管が、上記筐体に形成されており、
上記イヤーチップに、上記音導管の孔と共に音道を構成する貫通孔が形成されており、
上記音道の途中に、音響特性調整用のフィルタ部材が設けられており、
このフィルタ部材が、上記イヤーチップに固定されている、ことを特徴とする挿入型イヤホン。
【請求項２】
上記フィルタ部材が、フィルタ本体と、このフィルタ本体の周縁部に固定された支持部材とからなる、ことを特徴とする請求項１記載の挿入型イヤホン。
【請求項３】
上記イヤーチップにおける上記貫通孔の途中部分に、大径空間部が形成されており、
この大径空間部に、上記フィルタ部材が嵌め込まれている、ことを特徴とする請求項２記載の挿入型イヤホン。
【請求項４】
上記フィルタ部材が、上記イヤーチップにおける基端部側の壁面に貼着されている、ことを特徴とする請求項１または２記載の挿入型イヤホン。
【請求項５】
上記フィルタ部材が、上記イヤーチップにおける上記貫通孔の途中部分と、上記イヤーチップにおける基端部側の壁面とに、それぞれ固定されている、ことを特徴とする請求項１記載の挿入型イヤホン。
【発明の詳細な説明】
【技術分野】
【０００１】
本願発明は、音響特性調整用のフィルタ部材を備えた挿入型イヤホンに関するものである。
【背景技術】
【０００２】
一般に、挿入型イヤホンは、音導管を有するレシーバユニットと、このレシーバユニットの音導管に装着されたイヤーチップとを備えてなり、そのイヤーチップを外耳道に挿入した状態で使用するように構成されている。
【０００３】
この挿入型イヤホンのレシーバユニットは、レシーバ本体とこれを収容する筐体とを備えており、その筐体に上記音導管が形成されている。そして、この挿入型イヤホンにおいては、その音導管の孔とこれに連通するイヤーチップの貫通孔とにより音道が構成されるようになっている。
【０００４】
また、多くの挿入型イヤホンにおいては、その音道の途中に、音響特性調整用のフィルタ部材が設けられている。このフィルタ部材は、一般に、音導管の先端部に接着等により固定されている。
【０００５】
その際、「特許文献１」には、音導管が、レシーバユニットの筐体と一体的に形成された外筒部と、この外筒部の内周側空間に挿着された内筒部材とにより構成され、その内筒部材にフィルタ部材が固定された挿入型イヤホンが記載されている。
【０００６】
【特許文献１】特開２００３−１４３６８４号公報
【発明の開示】
【発明が解決しようとする課題】
【０００７】
挿入型イヤホンの音響特性は、その音道形状により固有のものとなるが、その際、音道の途中にフィルタ部材が設けられた構成とすれば、音響特性を適宜調整することが可能となる。
【０００８】
しかしながら、従来の挿入型イヤホンにおいては、そのフィルタ部材が音導管の先端部に固定されているので、このフィルタ部材を交換することができず、したがって単一の音響特性しか得ることができない。このため、ユーザの好みに応じた音響特性で音楽等を楽めるようにしたり、あるいは、ユーザの外耳道の大きさや形状等に応じた音響特性が得られるようにする、といったニーズに応えることができない、という問題がある。また、耳垢等によりフィルタ部材の目が詰まったような場合には、所期の音響特性が得られなくなってしまうので、挿入型イヤホン全体を交換することが必要となってしまう、という問題がある。
【０００９】
これに対し、上記「特許文献１」に記載された挿入型イヤホンにおいては、その内筒部材にフィルタ部材が固定されているので、音響特性の異なるフィルタ部材が固定された複数種類の内筒部材を予め準備しておくようにすれば、この内筒部材を適宜交換することにより、所望の音響特性を得ることが可能となる。
【００１０】
しかしながら、この内筒部材は、レシーバユニットの筐体から不用意に脱落してしまわないようにするため、筐体の外筒部に圧入された構成となっている。したがって、この内筒部材を交換するためには、専用の冶工具を用いることが必要となる、という問題がある。しかも、この内筒部材は、その取り外しの際に損傷してしまうので、これを再利用することができない、という問題もある。
【００１１】
本願発明は、このような事情に鑑みてなされたものであって、所望の音響特性を、簡単な操作で繰り返して得ることができる挿入型イヤホンを提供することを目的とするものである。
【課題を解決するための手段】
【００１２】
本願発明は、フィルタ部材の固定位置に工夫を施すことにより、上記目的達成を図るようにしたものである。
【００１３】
すなわち、本願発明に係る挿入型イヤホンは、
音導管を有するレシーバユニットと、このレシーバユニットの音導管に着脱可能に装着されたイヤーチップとを備えてなり、上記イヤーチップを外耳道に挿入した状態で使用するように構成された挿入型イヤホンにおいて、
上記レシーバユニットが、レシーバ本体と、このレシーバ本体を収容する筐体とを備えてなり、
上記音導管が、上記筐体に形成されており、
上記イヤーチップに、上記音導管の孔と共に音道を構成する貫通孔が形成されており、
上記音道の途中に、音響特性調整用のフィルタ部材が設けられており、
このフィルタ部材が、上記イヤーチップに固定されている、ことを特徴とするものである。
【００１４】
上記「イヤーチップ」は、レシーバユニットの音導管に着脱可能に装着し得る構成を有しており、かつ、音導管の孔と共に音道を構成する貫通孔が形成されたものであれば、その材質や形状等の具体的な構成は特に限定されるものではない。
【００１５】
上記「フィルタ部材」は、音道の途中に設けられた状態でイヤーチップに固定されたものであれば、そのイヤーチップに対する固定位置や固定構造は特に限定されるものではない。
【発明の効果】
【００１６】
上記構成に示すように、本願発明に係る挿入型イヤホンは、その音道の途中に音響特性調整用のフィルタ部材が設けられているが、このフィルタ部材は、音導管に着脱可能に装着されたイヤーチップに固定されているので、次のような作用効果を得ることができる。
【００１７】
すなわち、音響特性の異なるフィルタ部材が固定された複数種類のイヤーチップを予め準備しておき、このイヤーチップを適宜交換するようにすれば、所望の音響特性を得ることができる。その際、イヤーチップは、もともと音導管に対して着脱可能に装着される構成を有しているので、その交換は、冶工具等を用いることを必要とせずに、簡単な操作で行うことができる。しかも、耳垢等によりフィルタ部材の目が詰まってしまったような場合においても、イヤーチップを取り換えるだけで、容易に所期の音響特性を回復することができる。
【００１８】
このように本願発明によれば、挿入型イヤホンにおいて、所望の音響特性を、簡単な操作で繰り返して得ることができる。
【００１９】
上記構成において、フィルタ部材を、フィルタ本体と、このフィルタ本体の周縁部に固定された支持部材とからなる構成とすれば、イヤーチップに固定される前のフィルタ部材単品の状態で、その姿勢を一定に維持しておくことが容易に可能となる。このため、イヤーチップに対するフィルタ部材の固定構造にかかわらず、その固定作業を容易に行うことができる。
【００２０】
このようにした場合において、イヤーチップにおける貫通孔の途中部分に大径空間部が形成された構成とし、この大径空間部にフィルタ部材が嵌め込まれた構成とすれば、大径空間部の形成位置を適宜選択することにより、フィルタ部材の固定位置の選択自由度を高めることができる。また、このような構成を採用することにより、音導管に装着される前のイヤーチップ単品の状態において、そのフィルタ部材にユーザの指等が不用意に触れてしまうことにより、これを損傷させてしまうおそれをなくすことができる。
【００２１】
一方、上記構成において、フィルタ部材がイヤーチップにおける基端部側の壁面に貼着された構成とすれば、安価な構成で上記作用効果を得ることができる。
【００２２】
あるいは、上記構成において、フィルタ部材が、イヤーチップにおける貫通孔の途中部分と、イヤーチップにおける基端部側の壁面とに、それぞれ固定された構成とすれば、両フィルタ部材の組合せにより、音響特性の調整を木目細かく行うことができるので、所望の音響特性を得ることが一層容易に可能となる。
【発明を実施するための最良の形態】
【００２３】
以下、図面を用いて、本願発明の実施の形態について説明する。
【００２４】
図１は、本願発明の一実施形態に係る挿入型イヤホン１０を、右向きに配置した状態で示す側断面図である。図２は、図１のII部詳細図である。また、図３は、図１のII部を、主要構成要素に分解して示す斜視図である
これらの図に示すように、本実施形態に係る挿入型イヤホン１０は、音導管１６を有するレシーバユニット１２と、このレシーバユニット１２の音導管１６に装着されたイヤーチップ１４とを備えてなっている。そして、この挿入型イヤホン１０は、そのイヤーチップ１４を外耳道に挿入した状態で使用するようになっている。
【００２５】
レシーバユニット１２は、前後方向に延びる円筒状の外形形状を有しており、その前端部（図１において右端部）に上記音導管１６が設けられている。
【００２６】
このレシーバユニット１２は、レシーバ本体１８と、このレシーバ本体１８を収容する筐体２０と、プラグ付ケーブル２２とを備えてなっている。
【００２７】
レシーバ本体１８は、バランスドアーマチャ型レシーバであって、その前面壁には放音孔１８ａが形成されている。そして、このレシーバ本体１８の前端部には、その放音孔１８ａと連通する放音空間３０を形成する放音ノズル２６が固定されている。この放音ノズル２６は、放音孔１８ａを囲むようにしてレシーバ本体１８の前端部に固定された部材であって、その先端部２６ａが円筒状に形成されている。
【００２８】
筐体２０は、略円筒状の筒状フレーム３２と、筒状フレーム３２の基端部に固定された有底円筒状のキャップ３６と、筒状フレーム３２とキャップ３６との間に装着されたケーブル引出し部材３８とからなっている。
【００２９】
筒状フレーム３２は、その先端部（すなわち前端部）が小径円筒部として形成されており、この小径円筒部が上記音導管１６を構成している。この音導管１６は、放音ノズル２６の放音空間３０と連通する円柱状の孔１６ａを有している。また、この音導管１６の前端部は、やや厚肉の環状フランジ部１６ｂとして形成されている。
【００３０】
筒状フレーム３２には、その基端部側（すなわち後端部側）からガスケット３４が挿入固定されている。そして、レシーバ本体１８は、このガスケット３４に位置決めされた状態で筐体２０内に収容されている。
【００３１】
ケーブル引出し部材３８は、プラグ付ケーブル２２を挿通支持している。このプラグ付ケーブル２２は、その下端部にプラグ（図示せず）が取り付けられており、また、その上端部においてレシーバ本体１８に電気的に接続されている。
【００３２】
イヤーチップ１４は、例えばシリコーンゴム等の軟質材料で構成されている。このイヤーチップ１４は、音導管１６を筒状に囲む大径筒状部１４Ａと、この大径筒状部１４Ａの前端部から前方へ向けて筒状に延びる小径筒状部１４Ｂと、大径筒状部１４Ａの前端部から後方側へ略パラボラ状に広がる大径環状フランジ部１４Ｃと、小径筒状部１４Ｂの前端部から後方側へ略パラボラ状に広がるように形成された小径環状フランジ部１４Ｄからなっている。
【００３３】
このイヤーチップ１４には、その小径筒状部１４Ｂに、音導管１６の孔１６ａと同軸でかつ同一径の貫通孔１４ａが形成されている。そして、これら音導管１６の孔１６ａとイヤーチップ１４の貫通孔１４ａとにより、放音ノズル２６の放音空間３０を外部空間と連通させる音道４０が構成されるようになっている。
【００３４】
このイヤーチップ１４は、その大径筒状部１４Ａにおいて音導管１６と係合することにより、音導管１６に対して着脱可能に装着されるようになっている。
【００３５】
すなわち、このイヤーチップ１４は、その大径筒状部１４Ａの内周面が多少弾性変形して、音導管１６の外周面と密着するようになっている。その際、大径筒状部１４Ａの後端面が、筒状フレーム３２の前端面と当接するようになっている。また、このとき、イヤーチップ１４における大径筒状部１４Ａと小径筒状部１４Ｂとの間の環状段差面１４ｂが、音導管１６の前端面１６ｃに近接するようになっている。この大径筒状部１４Ａの内周面における前端部はやや大径で形成されており、この部分に音導管１６の環状フランジ部１６ｂが嵌り込むようになっている。
【００３６】
本実施形態に係る挿入型イヤホン１０においては、そのイヤーチップ１４の環状段差面１４ｂと音導管１６の前端面１６ｃとの間に、音響特性調整用のフィルタ部材５０が設けられている。
【００３７】
このフィルタ部材５０は、メッシュ材料（もしくは不織布等）からなる円板状の部材であって、環状の両面テープ５２を介して、イヤーチップ１４の環状段差面１４ｂに貼着されている。
【００３８】
このフィルタ部材５０は、イヤーチップ１４が音導管１６に装着される前の段階で、イヤーチップ１４に固定されるようになっている。そして、このフィルタ部材５０は、音導管１６に装着された状態では、イヤーチップ１４の環状段差面１４ｂと音導管１６の前端面１６ｃとにより、前後両側から挟持されるようになっている。
【００３９】
以上詳述したように、本実施形態に係る挿入型イヤホン１０は、その音道４０の途中に音響特性調整用のフィルタ部材５０が設けられているが、このフィルタ部材５０は、音導管１６に着脱可能に装着されたイヤーチップ１４に固定されているので、次のような作用効果を得ることができる。
【００４０】
すなわち、音響特性の異なるフィルタ部材５０が固定された複数種類のイヤーチップ１４を予め準備しておき、このイヤーチップ１４を適宜交換するようにすれば、所望の音響特性を得ることができる。
【００４１】
具体的には、フィルタ部材５０を設けることにより、これを設けていない場合に比して、中高音域の音圧レベルを抑えることができ、これにより低音域を強調することができる。その際、フィルタ部材５０を構成するメッシュ材料として、その目の粗さが細かいものを用いるようにすれば、中高音域の音圧レベルをさらに抑えて、低音域をより一層強調することができる。
【００４２】
また、本実施形態に係る挿入型イヤホン１０は、そのイヤーチップ１４が、もともと音導管１６に対して着脱可能に装着される構成を有しているので、このイヤーチップ１４の交換は、冶工具等を用いることを必要とせずに、簡単な操作で行うことができる。
【００４３】
しかも、耳垢等によりフィルタ部材５０の目が詰まってしまったような場合においても、イヤーチップ１４を取り換えるだけで、容易に所期の音響特性を回復することができる。
【００４４】
このように本実施形態によれば、挿入型イヤホン１０において、所望の音響特性を、簡単な操作で繰り返して得ることができる。
【００４５】
しかも、本実施形態に係る挿入型イヤホン１０は、そのフィルタ部材５０が、イヤーチップ１４における基端部側の壁面である環状段差面１４ｂに貼着されているので、安価な構成で上記作用効果を得ることができる。
【００４６】
次に、上記実施形態の変形例について説明する。
【００４７】
図４は、上記実施形態の第１変形例に係る挿入型イヤホン１１０を示す、図２と同様の図である。
【００４８】
同図に示すように、本変形例に係る挿入型イヤホン１１０は、そのレシーバユニット１２の構成については、上記実施形態の場合と同様であるが、フィルタ部材１５０の構成およびそのイヤーチップ１１４への固定構造が、上記実施形態の場合と異なっている。
【００４９】
すなわち、本変形例のフィルタ部材１５０は、フィルタ本体１５２と、このフィルタ本体１５２の周縁部に固定された環状の支持部材１５４とからなっている。その際、フィルタ本体１５２は、支持部材１５４の外径よりもやや小さい径で形成されている。そして、このフィルタ本体１５２は、環状の両面テープ１５６を介して、支持部材１５４に貼着されている。
【００５０】
また、本変形例のイヤーチップ１１４は、上記実施形態のイヤーチップ１４と同様、大径筒状部１１４Ａ、小径筒状部１１４Ｂ、大径環状フランジ部１１４Ｃおよび小径環状フランジ部１１４Ｄからなっているが、その貫通孔１１４ａの途中部分には、大径空間部１１４ｃが形成されている。そして、この大径空間部１１４ｃに、フィルタ部材１５０が嵌め込まれている。なお、このフィルタ部材１５０の嵌め込みは、フィルタ本体１５２を支持部材１５４の前面側に位置させた状態で行われている。
【００５１】
この大径空間部１１４ｃは、環状段差面１１４ｂから多少前方へ離れた、大径環状フランジ部１１４Ｃの基端部近傍に位置するようにして形成されている。この大径空間部１１４ｃは、フィルタ部材１５０の外形形状と略同一の形状を有しており、その基端部側の壁面には、貫通孔１１４ａとの間に面取りが施されている。
【００５２】
なお、本変形例に係る挿入型イヤホン１１０は、そのイヤーチップ１１４の環状段差面１１４ｂにおいて、音導管１６の前端面１６ｃと当接するように構成されている。
【００５３】
本変形例の構成を採用した場合においても、音響特性の異なるフィルタ部材１５０が固定された複数種類のイヤーチップ１１４を予め準備しておき、このイヤーチップ１１４を適宜交換するようにすれば、所望の音響特性を得ることができる。
【００５４】
その際、本変形例においては、フィルタ部材１５０が、フィルタ本体１５２と、このフィルタ本体１５２の周縁部に固定された支持部材１５４とからなっているので、イヤーチップ１１４に固定される前のフィルタ部材１５０単品の状態で、その姿勢を一定に維持しておくことが容易に可能となる。このため、イヤーチップ１１４に対するフィルタ部材１５０の固定作業を容易に行うことができる。
【００５５】
また、本変形例においては、大径空間部１１４ｃが、大径環状フランジ部１１４Ｃの基端部近傍に位置するようにして形成されているが、その形成位置を適宜変更することにより、フィルタ部材１５０の固定位置を変更することができる。そしてこれにより、フィルタ部材１５０の固定位置の選択自由度を高めることができる。その際、フィルタ部材１５０の固定位置を前方側へ変位させるようにすれば、共振周波数付近の音圧を下げる等のフィルタリング効果を強めることができ、一方、これを後方側へ変位させるようにすれば、上記フィルタリング効果を弱めることができる。
【００５６】
さらに、本変形例においては、環状段差面１１４ｂから多少前方へ離れた位置に形成された大径空間部１１４ｃに、フィルタ部材１５０が嵌め込まれているので、音導管１６に装着される前のイヤーチップ１１４単品の状態において、そのフィルタ部材１５０のフィルタ本体１５２にユーザの指等が不用意に触れてしまうことにより、これを損傷させてしまうおそれをなくすことができる。
【００５７】
図５は、上記実施形態の第２変形例に係る挿入型イヤホン２１０を示す、図２と同様の図である。
【００５８】
同図に示すように、本変形例に係る挿入型イヤホン２１０は、そのレシーバユニット１２の構成については、上記実施形態の場合と同様であるが、上記実施形態のフィルタ部材５０のほかに上記第１変形例のフィルタ部材１５０をも備えている点で、上記実施形態の場合と異なっている。
【００５９】
すなわち、本変形例のイヤーチップ２１４は、上記実施形態のイヤーチップ１４と同様、大径筒状部２１４Ａ、小径筒状部２１４Ｂ、大径環状フランジ部２１４Ｃおよび小径環状フランジ部２１４Ｄからなっている。このイヤーチップ２１４における環状段差面２１４ｂの構成は、上記実施形態のイヤーチップ１４の場合と同様であり、その貫通孔２１４ａの途中部分に形成された大径空間部２１４ｃの構成は、上記第１変形例のイヤーチップ１１４の場合と同様である。
【００６０】
そして、このイヤーチップ２１４の環状段差面２１４ｂには、フィルタ部材５０が両面テープ５２を介して貼着されており、また、その大径空間部２１４ｃには、フィルタ部材１５０が嵌め込まれている。
【００６１】
本変形例の構成を採用した場合においても、音響特性の異なるフィルタ部材５０、１５０が固定された複数種類のイヤーチップ２１４を予め準備しておき、このイヤーチップ２１４を適宜交換するようにすれば、所望の音響特性を得ることができる。
【００６２】
その際、本変形例においては、２つのフィルタ部材５０、１５０が、環状段差面２１４ｂとイヤーチップ１４における貫通孔２１４ａの途中部分との双方に、それぞれ固定されているので、両フィルタ部材５０、１５０の組合せにより、音響特性の調整を木目細かく行うことができる。したがって、本変形例の構成を採用することにより、所望の音響特性を得ることが一層容易に可能となる。
【００６３】
なお、上記実施形態に係る挿入型イヤホン１０において、そのイヤーチップ１４の環状段差面１４ｂに、フィルタ部材５０が貼着された構成とする代わりに、上記第１変形例のフィルタ部材１５０が貼着された構成とすることも可能である。
【００６４】
また、上記実施形態に係る挿入型イヤホン１０においては、そのイヤーチップ１４が、大径筒状部１４Ａ、小径筒状部１４Ｂ、大径環状フランジ部１４Ｃおよび小径環状フランジ部１４Ｄからなるものとして説明したが、これ以外の構成を有するイヤーチップを用いるようにすることももちろん可能である。この点、上記各変形例においても同様である。
【００６５】
さらに、上記各変形例においては、支持部材１５４が環状に形成されているものとして説明したが、このようにする代わりに、Ｃ字形やコ字形等に形成された支持部材を用いるようにすることも可能である。
【図面の簡単な説明】
【００６６】
【図１】本願発明の一実施形態に係る挿入型イヤホンを示す側断面図
【図２】図１のII部詳細図
【図３】図１のII部を、主要構成要素に分解して示す斜視図
【図４】上記実施形態の第１変形例に係る挿入型イヤホンを示す、図２と同様の図
【図５】上記実施形態の第２変形例に係る挿入型イヤホンを示す、図２と同様の図
【符号の説明】
【００６７】
１０、１１０、２１０  挿入型イヤホン
１２  レシーバユニット
１４、１１４、２１４  イヤーチップ
１４Ａ、１１４Ａ、２１４Ａ  大径筒状部
１４Ｂ、１１４Ｂ、２１４Ｂ  小径筒状部
１４Ｃ、１１４Ｃ、２１４Ｃ  大径環状フランジ部
１４Ｄ、１１４Ｄ、２１４Ｄ  小径環状フランジ部
１４ａ、１１４ａ、２１４ａ  貫通孔
１４ｂ、１１４ｂ、２１４ｂ  環状段差面
１６  音導管
１６ａ  孔
１６ｂ  環状フランジ部
１６ｃ  前端面
１８  レシーバ本体
１８ａ  放音孔
２０  筐体
２２  プラグ付ケーブル
２６  放音ノズル
２６ａ  先端部
３０  放音空間
３２  筒状フレーム
３４  ガスケット
３６  キャップ
３８  ケーブル引出し部材
４０  音道
５０、１５０  フィルタ部材
５２、１５６  両面テープ
１１４ｃ、２１４ｃ  大径空間部
１５２  フィルタ本体
１５４  支持部材
【図１】
2008277909.tif 000003
【図２】
2008277909.tif 000004
【図３】
2008277909.tif 000005
【図４】
2008277909.tif 000006
【図５】
2008277909.tif 000007